(57)【要約】【課題】棚板と支持ブラケットとを分離することなく、それらの前後位置を簡単な作業で変更しうるようにする。【解決手段】側杆１２の内面に突片１３を、かつ支持ブラケット８の前端部に、突片１３が前後方向に移動可能に嵌合するとともに、支持ブラケット８が突片１３を中心として上下方向に回動しうるようにした前後方向の長孔１６を設け、上面板１１の側端部下面に、支持ブラケット８の中間部の上端部を両側方より挟持する左右１対の下向きの挟持片１４b、１４cを設け、外側の挟持片１４bの内面に係止突部１５を、かつ支持ブラケット８の上端部に、支持ブラケット８を両挟持片間に下方より挟入したとき、係止突部１５と選択的に係合する前後複数の係合孔１９を設ける。【選択図】  図３
2010000267.tif 000002
【特許請求の範囲】
【請求項１】
棚板における上面板の両側端より垂下する側杆と、それらの内方において前記上面板の側端部下面を支持するように配設され、かつ後端に突設した係合爪を、支柱の前面に係止することにより、棚板を左右の支柱に支持するようにした支持ブラケットとの連結構造であって、
前記支持ブラケットの前部と側杆との対向面のいずれか一方に、突片を、かつ他方に、前記突片が前後方向に移動可能に嵌合するとともに、前記支持ブラケットが突片を中心として上下方向に回動しうるようにした前後方向の長孔を設け、かつ前記上面板の側端部下面に、支持ブラケットの中間部を両側方より挟持する、側方に弾性変形可能な左右１対の下向きの挟持片を設け、一方の挟持片と支持ブラケットとの対向面のいずれか一方に係止突部を、かつ他方に、前記支持ブラケットを両挟持片間に下方より挟入したとき、前記係止突部と選択的に係合する前後複数の係合孔を設けたことを特徴とする棚板とその支持ブラケットとの連結構造。
【請求項２】
複数の係合孔を設けた支持ブラケットの上端、または挟持片の下端における各係合孔と対応する位置に、係止突部が嵌合しうる下方または上方に凹入する溝を設けてなる請求項１記載の棚板とその支持ブラケットとの連結構造。
【請求項３】
係止突部を、外側の挟持片の内面に設け、内側の挟持片における前記係止突部と対向する部分に、係止突部を内方より目視しうる凹入部を形成してなる請求項１または２記載の棚板とその支持ブラケットとの連結構造。
【発明の詳細な説明】
【技術分野】
【０００１】
本発明は、例えば組立式の商品陳列棚等における棚板とその支持ブラケットとの連結構造に関する。
【背景技術】
【０００２】
本願の出願人は、棚板とその支持ブラケットとを、固定手段や工具等を使用することなく、簡単に連結しうるとともに、必要に応じて、棚板と支持ブラケットとを簡単に分離することができ、しかも、それらの前後位置も変更しうるようにした棚板とその支持ブラケットとの連結構造を案出し、先に特許出願している(例えば特許文献１参照)。
【特許文献１】特開２００７−１５１６９５号公報
【発明の開示】
【発明が解決しようとする課題】
【０００３】
上記特許文献に記載されている発明のものは、支持ブラケットの前後方向の中間部を、棚板より垂下する押え片により、内方に移動しないように拘束し、棚板の側板と支持ブラケットとの前部と後部との対向面のいずれか一方に、１個または複数の突出部を、かつ他方に、１個の突出部が選択的に係合する複数の係合孔、もしくは、複数の突出部のいずれかが係合する１個の係合孔を設け、突出部と係合孔とを互いに選択して係合することにより、棚板とその支持ブラケットとの前後位置を変更しうるようにしている。
【０００４】
このように、側板と支持ブラケットの前部と後部の対向面に設けた突出部と係合孔を互いに選択して、棚板と支持ブラケットとの前後位置を変更しうるようにすると、位置を変更する度に、棚板と支持ブラケットとを分離させて、突出部を係合孔より離脱させる必要があり、その作業が面倒である。
また、支持ブラケットの前後方向の中間部が、押え片により、内方に移動しないように拘束されているので、突出部を係合孔より離脱させたり、それらを再度係合させたりする際に、支持ブラケットを強い力で内方に撓ませる必要があり、この作業も面倒である。
【０００５】
本発明は、上記問題点に鑑みてなされたもので、棚板と支持ブラケットとを分離することなく、それらの前後位置を簡単な作業で変更しうるようにした、棚板とその支持ブラケットとの連結構造を提供することを目的としている。
【課題を解決するための手段】
【０００６】
本発明によると、上記課題は、次の各項のようにして解決される。
（１）棚板における上面板の両側端より垂下する側杆と、それらの内方において前記上面板の側端部下面を支持するように配設され、かつ後端に突設した係合爪を、支柱の前面に係止することにより、棚板を左右の支柱に支持するようにした支持ブラケットとの連結構造であって、前記支持ブラケットの前部と側杆との対向面のいずれか一方に、突片を、かつ他方に、前記突片が前後方向に移動可能に嵌合するとともに、前記支持ブラケットが突片を中心として上下方向に回動しうるようにした前後方向の長孔を設け、かつ前記上面板の側端部下面に、支持ブラケットの中間部を両側方より挟持する、側方に弾性変形可能な左右１対の下向きの挟持片を設け、一方の挟持片と支持ブラケットとの対向面のいずれか一方に係止突部を、かつ他方に、前記支持ブラケットを両挟持片間に下方より挟入したとき、前記係止突部と選択的に係合する前後複数の係合孔を設ける。
【０００７】
このような構成とすると、支持ブラケットの前部は、棚板の側杆に、突片と長孔を介して前後方向に移動可能に保持され、また、支持ブラケットの中間部は、上面板の側端部下面に設けた左右１対の挟持片により挟持され、かつこの状態で、挟持片と支持ブラケットとの対向面に向けた係止突部と係合孔とが互いに係合しているので、棚板と支持ブラケットとの前後位置を変更する際には、支持ブラケットを、両挟持片間より離脱するまで、突片を中心として下向きに回動させ、かつ支持ブラケットを前後方向に移動させて、再度両挟持片間に挟入し、別の係合孔を係止突部に係合させるだけでよい。
従って、棚板と支持ブラケットとの前後位置を、それらを分離することなく、支持ブラケットの上下方向の回動操作のみで容易に行うことができる。
【０００８】
（２）上記(１)項において、複数の係合孔を設けた支持ブラケットの上端、または挟持片の下端における各係合孔と対応する位置に、係止突部が嵌合しうる下方または上方に凹入する溝を設ける。
【０００９】
このような構成とすると、係合孔と対応する溝を、係止突部に嵌合すると、支持ブラケットの前後方向の位置決めがなされ、係合孔と係止突部とを上下方向に整合させることができる。従って、この状態で、支持ブラケットを、両挟持片間に強く押し込むと、溝により誘導されて、係合孔を係止突部に容易に係合させることができる。
【００１０】
（３）上記(１)または(２)項において、係止突部を、外側の挟持片の内面に設け、内側の挟持片における前記係止突部と対向する部分に、係止突部を内方より目視しうる凹入部を形成する。
【００１１】
このような構成とすると、凹入部を通して、外側の挟持片の内面に設けた係止突部の位置を目で確認しながら、この係止突部に、任意の係合孔を簡単に係合させることができる。
【発明の効果】
【００１２】
本発明によれば、棚板と支持ブラケットとの前後位置を、それらを分離することなく、支持ブラケットの上下方向の回動操作のみで容易に行うことができる。
【発明を実施するための最良の形態】
【００１３】
以下、本発明の実施形態を、図面に基づいて説明する。
図１は、本発明の第１の実施形態を備える商品陳列棚の斜視図で、商品陳列棚１は、方形枠状に組み立てられ、上面にベース棚板２が取付けられたベース脚３と、このベース脚３の両側部の後端より起立し、上端部の対向面が横杆４により連結された左右１対の支柱５、５と、両支柱５、５間に嵌め込まれた背板６とを備え、左右の支柱５の前面には、上下複数の棚板７が、その両側部に連結された鋼板よりなる支持ブラケット８、８における後端の複数の係合爪９を、両支柱５の前面に列設された複数の係合孔１０の任意のものに係合させることにより、支持されている。
【００１４】
左右の支持ブラケット８は、以下に説明する連結構造をもって、棚板７の両側部に連結されている。
図２〜図５に示すように、棚板７は、前後の端縁に垂下片１１a、１１aを有する左右方向に長い長方形の上面板１１の左右両側部下面に、垂直をなす側杆１２の上端に設けた内向受片１２a を、スポット溶接等により固着したものである。
【００１５】
左右の側杆１２(左右同一構造につき、左方のもののみを図示する)における前端部の内側面には、突片１３が、内向きに切り起こして形成され、また、内向受片１２a の後端部の下面には、支持ブラケット８を保持する金属製の保持部材１４の上面が、スポット溶接等により固着されている。
【００１６】
保持部材１４は、前後方向を向く上片１４aの外側縁より、側杆１２の内側面に当接または近接する外側挟持片１４bを垂下し、かつ上片１４aの内側縁の中間部に、外側挟持片１４bよりも前後寸法の小さな内側挟持片１４cを、下向きに折曲して形成してなり、その断面形状は、正面視下向きコ字状をなしている(図５参照)。外側挟持片１４bと内側挟持片１４cの対向面間の寸法は、支持ブラケット８を隙間なく挟入しうるように、その板厚とほぼ等しくしてある。また、内側挟持片１４cの上下寸法は、外側挟持片１４bの内面に設けた後記する係止突部１５が視認しやすいように、外側挟持片１４bの上下寸法よりも小としてある。
【００１７】
外側挟持片１４bの前後方向の中央部の内面には、この外側挟持片１４bの製造過程において、外方よりプレス等により強圧して、内方に塑性変形させることにより、半球状断面の係止突部１５が突設されている。なお、係止突部１５の先端と内側挟持片１４cとの間の隙間は、外側挟持片１４bと内側挟持片１４cのいずれか一方または両方を、若干弾性変形させて、支持ブラケット８を強く挟入させうるように、支持ブラケット８の板厚よりも小さな寸法としてある。
【００１８】
支持ブラケット８の前端部には、上記側杆１２の突片１３に、内方より遊嵌可能な前後方向の長孔１６が穿設されている。なお、この長孔１６の上下幅は、図３の２点鎖線で示すように、支持ブラケット８を若干後下方に傾斜させた状態で、突片１３に嵌合させうるように、この突片１３の板厚よりも大としてある(図４参照)。
【００１９】
支持ブラケット８の後端部寄りの上端面には、前後方向の長さが保持部材１４のそれよりも長く、かつ深さが保持部材１４の上片１４aの厚さよりも若干大きな切欠凹部１７が形成され、この切欠凹部１７の上縁には、係止突部１５の下端部に下方より嵌合されることにより、支持ブラケット８を前後方向に位置決めする下向き円弧状の前後複数の切込溝１８が形成されている。
また、支持ブラケット８の後端部における各切込溝１８と近接する箇所には、上記係止突部１５に選択的に係合可能な複数の係合孔１９が、各切込溝１８と対応するようにして穿設されている。
【００２０】
支持ブラケット８を棚板７の両側部に取付けるには、図３の２点鎖線に示すように、まず、支持ブラケット８を、保持部材１４と干渉しない位置まで、後下方に傾斜させた状態で、その前端部の長孔１６を、側杆１２の前端部の突片１３に、内側方より嵌合させる。
【００２１】
ついで、図３の矢印で示すように、支持ブラケット８の後部を、突片１３を中心として上向きに回動させ、支持ブラケット８の後端部における切欠凹部１７が形成された部分を、保持部材１４の内外の挟持片１４c、１４bの間に、下方より強く押し込み、いずれかの係合孔１９を、外側挟持片１４bにおける係止突部１５に選択的に係合させる。
【００２２】
この際、挟持片１４b、１４cの一方もしくは両方が、拡開方向に若干弾性変形させられることにより、支持ブラケット８の上端部が、係止突部１５と内側挟持片１４cとの間の隙間内に進入することができ、支持ブラケット８の上端が内向受片１２a の下面と当接または近接する位置まで、上向きに回動させると、係合孔１９は係止突部１５に係合する。この係合時において、両挟持片１４b、１４cが内向きに弾性復元することにより、支持ブラケット８の上端部は、両挟持片１４b、１４cによりがたなく挟持される。
【００２３】
上記係合孔１９を係止突部１５に係合させる際、係合孔１９と対応する切込溝１８を、係止突部１５に下方より嵌合させると、支持ブラケット８の前後方向の位置決めがなされ、係合孔１９と係止突部１５とは上下方向に整合する。従って、この状態で、支持ブラケット８の上端部を、切込溝１８が係止突部１５を乗り越えるまで、両挟持片１４b、１４c間に強く押し込むと、切込溝１８により誘導されて、係合孔１９を係止突部１５に容易に係合させることができる。
【００２４】
係合孔１９を係止突部１５に係合させた後は、支持ブラケット８は、前後及び前後方向の移動が阻止され、かつ後部の上端部が保持部材１４の両挟持片１４b、１４cにより挟持されているので、左右方向にぐらつくことはない。
従って、支持ブラケット８を棚板７の両側部に取付けた状態で、運搬したり保管したりすることができ、かつ左右の支持ブラケット８の係合爪９を、支柱５の係合孔１０に係合させることにより、棚板７を簡単に支柱５の前面に装着することができる。
【００２５】
棚板７と支持ブラケット８との前後位置を変更するには、まず、支持ブラケット８の切欠凹部１７と、保持部材１４の上片１４a、または側杆１２の内向受片１２a の下面との間に、ドライバ等の工具を差し込み、支持ブラケット８の後端部を下方へ押し下げるか、もしくは、支持ブラケット８の後端上部を下方に叩くなどして、係合孔１９と係止突部１５との係合を外し、そののち、支持ブラケット８の後部を下向きに回動させて、保持部材１４の両挟持片１４b、１４cより離脱させる。
【００２６】
ついで、支持ブラケット８を、その後部の前後方向の長孔１６に沿って、前後方向に移動させ、上記と同じ要領で、別の係合孔１９を係止突部１５に係合させればよい。従って、棚板７と支持ブラケット８との前後位置を、支持ブラケット８の後端部を、棚板７の側杆１２により支持した状態で、すなわち、支持ブラケット８と棚板７とを分離することなく、支持ブラケット８を上下方向に回動操作させるのみで、容易に行うことができる。
【００２７】
図６は、本発明の第２の実施形態を示すもので、保持部材１４の内側挟持片１４cの中央部に、下方に開口する側面視倒立Ｕ字状の凹入部２０を設け、この凹入部２０を通して、外側の挟持片１４bの内面に突設した係止突部１５を、内方より目視しうるようにしてある。このようにすると、係止突部１５の位置を目で確認しながら、これに、支持ブラケット８の切込溝１８を容易に整合させうるので、任意の係合孔１９を、係止突部１５に速やかに係合させることができる。また、切込溝１８を省略することも可能となる。
【００２８】
図７は、本発明の第３の実施形態を示す。
この実施形態においては、上記第１の実施形態とは逆に、支持ブラケット８の後部側の内側面上部に係止突部１５を設けるとともに、保持部材１４における前後寸法を大とした内側挟持片１４cに、上記係止突部１５が選択的に係合しうる複数の係合孔１９を設けたものである。また、内側挟持片１４cの下端には、上記と同様、各係合孔１９と対応する切込溝１８を設け、係止突部１５を容易に係合孔１９に係合させうるようにしてある。
このような構成としても、第１の実施形態と同様の作用効果を奏することができる。
【００２９】
本発明は、上記実施形態に限定されるものではない。
上記実施形態では、突片１３を側杆１２に、長孔１６を支持ブラケット８に、それぞれ設けているが、それらを反対としてもよい。すなわち、突片１３を支持ブラケット８の前端部の外側面に突設するとともに、前後方向の長孔１６を、側杆１２の前端部に設けてもよい。
【００３０】
また、上記実施形態では、正面視下向きコ字状断面をなす保持部材１４を、側杆１２の内向受片１２a の下面に固着し、内外の挟持片１４b、１４cにより、支持ブラケット８を挟持しつつ、係止突部１５に係合孔１９を係合させているが、保持部材１４に代えて、例えば内向受片１２a の下面に、正面視倒立Ｌ字状の挟持片を、側杆１２と対向するようにして固着し、この挟持片と側杆１２との対向面により、支持ブラケット８の上端部を挟持するとともに、支持ブラケット８と挟持片または側杆１２との対向面に設けた係止突部と係合孔とを、互いに係合させるようにしてもよい。なお、この際、挟持片は、内向受片１２a の一部を下向きに切り起こして形成してもよい。
【図面の簡単な説明】
【００３１】
【図１】本発明の第１の実施形態を備える商品陳列棚を一部切り欠いて示す斜視図である。
【図２】同じく、要部の拡大分解斜視図である。
【図３】同じく、棚板と支持ブラケットとの連結要領を示す側面図である。
【図４】図３のIV-IV線拡大縦断側面図である。
【図５】同じく、V-V線拡大縦断側面図である。
【図６】本発明の第２の実施形態を示す側面図である。
【図７】同じく、第３の実施形態の要部の分解斜視図である。
【符号の説明】
【００３２】
１    商品陳列棚
２    ベース棚板
３    ベース脚
４    横杆
５    支柱
６    背板
７    棚板
８    支持ブラケット
９    係合爪
１０  係合孔
１１  上面板
１１a 垂下片
１２  側杆
１２a 内向受片
１３  突片
１４  保持部材
１４a 上片
１４b 外側挟持片
１４c 内側挟持片
１５  係止突部
１６  長孔
１７  切欠凹部
１８  切込溝
１９  係合孔
２０  凹入部
【図１】
2010000267.tif 000003
【図２】
2010000267.tif 000004
【図３】
2010000267.tif 000005
【図４】
2010000267.tif 000006
【図５】
2010000267.tif 000007
【図６】
2010000267.tif 000008
【図７】
2010000267.tif 000009